(57)【要約】【課題】ペデスタルレベルを検出するコンデンサの容量を小さくする。【解決手段】バースト期間にスイッチＳ７を閉じ、スイッチＳ８をスイッチＳ７側に倒すことで、スイッチＳ５，Ｓ６およびコンデンサＣ３，Ｃ４を介しコンデンサＣ５，Ｃ６にペデスタルレベルを充電する。そして、バースト期間以外は、コンデンサＣ６，Ｃ７に充電されているペデスタルレベルをスイッチＳ２，Ｓ４に供給する。映像信号は、スイッチＳ２，４にペデスタルレベルが供給されているときにコンデンサＣ１，Ｃ２に充電され、スイッチＳ２，Ｓ４にクランプレベルが供給されているときにコンデンサＣ１，Ｃ２の充電電圧がスイッチＳ１，Ｓ３を介し出力される。【選択図】図１
2007267202.tif 000002
【特許請求の範囲】
【請求項１】
スイッチトキャパシタを使用したコンポジット映像信号のバースト信号期間のＤＣレベルをクランプするクランプ回路であって、
バースト信号期間の映像信号をＤＣ測定コンデンサに供給する第１スイッチトキャパシタ回路と、
映像信号を充電しているときに他端が前記ＤＣ測定コンデンサに接続され、出力しているときに他端が基準電源に接続される第２スイッチトキャパシタ回路と、
を有し、
映像信号のＤＣレベルをバースト期間中のＤＣレベルに基づきクランプすることを特徴とするクランプ回路。
【請求項２】
請求項１に記載のクランプ回路において、
前記ＤＣ測定コンデンサに充電された電圧をバッファアンプを介し、前記第２スイッチトキャパシタ回路の他端に供給されることを特徴とするクランプ回路。
【発明の詳細な説明】
【技術分野】
【０００１】
本発明は、スイッチトキャパシタを使用したコンポジット映像信号のバースト信号期間のＤＣレベルをクランプするクランプ回路に関する。
【背景技術】
【０００２】
映像信号の直流レベルはバースト信号期間（ペデスタル期間）の直流レベルにクランプされる。このために、各種のクランプ回路が知られている。代表的なものとしては、ＣＲ（コンデンサ・抵抗）からなるローパスフィルタを利用して、ペデスタル期間の直流レベルを測定し、得られた直流レベルで映像信号の直流レベルをクランプする回路がある。
【０００３】
【特許文献１】特開２００５−１０１９８６号公報
【発明の開示】
【発明が解決しようとする課題】
【０００４】
しかし、上述のような従来の構成では、コンデンサと抵抗で時定数を定めるため、大きな容量のコンデンサを必要とし、信号処理用の半導体集積回路に対し、外付けのコンデンサが必要となる等のデメリットがある。
【課題を解決するための手段】
【０００５】
本発明は、スイッチトキャパシタを使用したコンポジット映像信号のバースト信号期間のＤＣレベルをクランプするクランプ回路であって、バースト信号期間の映像信号をＤＣ測定コンデンサに供給する第１スイッチトキャパシタ回路と、映像信号を充電しているときに他端が前記ＤＣ測定コンデンサに接続され、出力しているときに他端が基準電源に接続される第２スイッチトキャパシタ回路と、を有し、映像信号のＤＣレベルをバースト期間中のＤＣレベルに基づきクランプすることを特徴とする。
【０００６】
また、前記ＤＣ測定コンデンサに充電された電圧をバッファアンプを介し、前記第２スイッチトキャパシタ回路の他端に供給されることが好適である。
【発明の効果】
【０００７】
本発明によれば、スイッチトキャパシタを利用して、ペデスタルレベルをクランプして、映像信号をレベルシフトする。そして、レベル検出における時定数は、コンデンサの容量値のみでなく、スイッチの動作クロックによって調整することができる。このため、使用するコンデンサの容量を小さくすることできる。
【発明を実施するための最良の形態】
【０００８】
以下、本発明の実施形態について、図面に基づいて説明する。
【０００９】
図１は、実施形態の構成を示す図である。映像信号が入力される信号入力端ＳＩＧＩＮは、スイッチＳ１，Ｓ３の入力端に接続されている。スイッチＳ１，Ｓ３の出力端は、バッファ１０を介し信号出力端ＳＩＧＯＵＴに接続されている。スイッチＳ１はコンデンサＣ１の一端を入力端または出力端に順次切り換える。コンデンサＣ１の他端は、スイッチＳ２に接続されている。また、スイッチＳ３はコンデンサＣ２の一端を入力端または出力端に順次切り換える。コンデンサＣ２の他端は、スイッチＳ４に接続されている。
【００１０】
信号入力端ＳＩＧＩＮは、スイッチＳ５，Ｓ６の入力端にも接続されている。スイッチＳ５，Ｓ６の出力端は、スイッチＳ７の一端に接続されている。スイッチＳ５はコンデンサＣ３の一端を入力端または出力端に順次切り換え、またスイッチＳ６はコンデンサＣ４の一端を入力端または出力端に順次切り換える。コンデンサＣ３，Ｃ４の他端は電源（例えばグランド）に接続されている。
【００１１】
スイッチＳ７は、映像信号のバースト期間中のみオンするスイッチである。スイッチＳ７の他単位は、コンデンサＣ５の一端が接続され、このコンデンサＣ５の他端はグランドに接続されている。コンデンサＣ５の一端は、スイッチＳ８の入力端に接続されている。スイッチＳ８は、コンデンサＣ６の一端を入力端または出力端に切換接続する。
【００１２】
スイッチＳ８の出力端には、他端がグランドに接続されたコンデンサＣ７の一端に接続されている。コンデンサＣ７の一端には、バッファアンプ１２が接続されている。
【００１３】
また、スイッチＳ２，Ｓ４は、このバッファアンプ１２の出力または一定電圧であるクランプレベルに切換接続する。
【００１４】
そして、スイッチＳ１〜Ｓ６は、映像帯域の２倍以上の周波数の同一のクロックで動作し、スイッチＳ１，Ｓ２，Ｓ５が入力端を選択しているとき、スイッチＳ３，Ｓ４，Ｓ６は出力側を選択するというように相補的な動作をする。また、スイッチＳ７およびＳ８は、映像信号のバースト期間を示す信号（パルス）で動作し、バースト期間は、スイッチＳ７は閉じ、スイッチＳ８は、入力端をコンデンサＣ６に接続し、バースト期間以外は、スイッチＳ７は開き、スイッチＳ８は、出力端をコンデンサＣ６に接続する。
【００１５】
このような回路において、スイッチＳ１，Ｓ３が相補的に動作することで、映像信号がコンデンサＣ１，Ｃ２に交互に充電され、出力される。ここで、映像信号がコンデンサＣ１，Ｃ２に充電されているときには、他端はコンデンサＣ７に充電されているペデスタルレベルが供給されており、映像信号がペデスタルレベルに対する信号として充電される。一方、コンデンサＣ１，Ｃ２から充電電圧が出力されるときには、コンデンサＣ１，Ｃ２の他端にはクランプレベルが供給されているため、充電電圧がクランプレベルに対する電圧にレベルシフトされて出力される。
【００１６】
また、バースト期間において、スイッチＳ７がオンであって、スイッチＳ８が入力側に切り換えられているため、スイッチＳ５，Ｓ６はコンデンサＣ３，Ｃ４を順次入力端または出力端に相補的に切り換えることによって、バースト期間の信号（ペデスタルレベル）がコンデンサＣ５およびＣ６に充電される。そして、バースト期間を過ぎると、スイッチＳ７がオフ、スイッチＳ８が出力側に切り換えられるため、コンデンサＣ６，Ｃ７に充電されているペデスタルレベルがスイッチＳ２，Ｓ４に供給される。なお、コンデンサＣ６に充電されたペデスタルレベルは、コンデンサＣ６，Ｃ７によりそれまでのペデスタルレベルと平均化される。
【００１７】
このようにして、バースト期間において、コンデンサＣ５，Ｃ６にペデスタルレベルが毎回充電され、このペデスタルレベルがコンデンサＣ６，Ｃ７に蓄えられて、スイッチＳ２，Ｓ４に供給される。なお、バースト期間においてはコンデンサＣ７の充電電圧のみがバッファアンプ１２を介しスイッチＳ２，Ｓ４に供給される。
【００１８】
このように、本実施形態では、スイッチトキャパシタを利用して、ペデスタルレベルをクランプして、映像信号をレベルシフトする。そして、レベル検出における時定数は、コンデンサの容量値のみでなく、スイッチの動作クロックによって調整することができる。このため、使用するコンデンサの容量を小さくすることでき、半導体集積回路内のコンデンサを利用することも可能になる。
【図面の簡単な説明】
【００１９】
【図１】実施形態の構成を示す図である。
【符号の説明】
【００２０】
Ｓ１〜Ｓ８  スイッチ、Ｃ１〜Ｃ７  コンデンサ、１０，１２  バッファアンプ。
【図１】
2007267202.tif 000003